(57)【要約】【課題】被施術者の治療を行いながら、簡単に被施術者に電気刺激を印加することができることで、効率的で、かつ効果的な治療を行うことができる電気刺激装置を提供する。【解決手段】電気刺激装置１０は、被術者に対して電気刺激を印加する装置である。電気刺激装置１０は、被術者に装着される一対の電極が複数設けられた電極部２０と、電極部２０に刺激信号を生成して送出する装置本体３０と、装置本体３０にケーブル１１を介して接続され、電極部２０に刺激信号の送出を指示する操作部４０とを備えている。この操作部４０には、電極部２０のそれぞれの一対の電極２１（第１電極２１ａ，第２電極２１ｂ）に、刺激信号の送出を個々に指示するための個別用スイッチ（第１個別用スイッチ４２，第２個別用スイッチ４３）が、一対の電極２１のそれぞれに対応させて備えている。【選択図】図１
2015156887.tif 000002
【特許請求の範囲】
【請求項１】
被術者に対して電気刺激を印加する電気刺激装置であって、
前記被術者に装着される一対の電極が複数設けられた電極部と、
前記電極部に刺激信号を生成して送出する装置本体と、
前記装置本体にケーブルを介して接続され、前記電極部に刺激信号の送出を指示する操作部とを備えたことを特徴とする電気刺激装置。
【請求項２】
前記操作部は、前記電極部のそれぞれの一対の電極に、刺激信号の送出を個々に指示するための個別用スイッチが、前記一対の電極のそれぞれに対応させて備えたものである請求項１記載の電気刺激装置。
【請求項３】
前記操作部は、前記電極部に、一斉に刺激信号の送出を指示するための全体用スイッチを備え、
前記全体用スイッチまたは前記個別用スイッチのいずれか一方のスイッチは、施術者が前記操作部を把持したときに、施術者の親指が押す位置に配置され、他方のスイッチは、施術者の人差し指から小指のうちのいずれかの指が押す位置に配置されている請求項２記載の電気刺激装置。
【請求項４】
前記操作部は、楕円球状に形成されている請求項１から３のいずれかの項に記載の電気刺激装置。
【請求項５】
前記装置本体は、刺激信号を生成する発生回路と、前記発生回路が生成する刺激信号の強度を調整するための出力調整用スイッチとを備え、
前記出力調整用スイッチは、前記一対の電極のそれぞれに対応させて形成された請求項１から３のいずれかの項に記載の電気刺激装置。
【発明の詳細な説明】
【技術分野】
【０００１】
本発明は、刺激信号により被術者に対して電気刺激を印加する電気刺激装置に関するものである。
【背景技術】
【０００２】
電気刺激は、リハビリなどの治療や、按摩、マッサージの代わりとして用いられている。特に、電気刺激は、脳卒中による上肢麻痺などの障害がある患者の機能回復、改善に、有効な手段である。
このような電気刺激を被術者に印加する従来の電気刺激装置として、例えば、特許文献１に記載されたものが知られている。
【０００３】
特許文献１に記載の低周波治療器は、患部に当接し接続コードと接続するパッドの組（以下、組パッドとする）と、この接続コードを接続可能で、接続コードを介して各組パッドに治療用信号を送る治療器本体とからなり、組パッドが複数あり別々の接続コードで独立しているので、例えば一方を肩位置へ、他方を腰位置へといった離間した位置においても無理なく貼着できるというものである。
【先行技術文献】
【特許文献】
【０００４】
【特許文献１】特開２００４−２１６０３１号公報
【発明の概要】
【発明が解決しようとする課題】
【０００５】
例えば、被施術者がテーブルの上の物を取る動作は、肩、肘、手首などの複数の筋群の活動によって行われる。従って、特許文献１に記載の従来の電気刺激装置では、組パッドを、被術者の肩や肘、手首などの筋群に、それぞれ装着することができるため効果的な治療が行えるものと思われる。
【０００６】
しかし、施術者が被術者に付き添い、被術者の肩や肘、手首などを持って動作を補助しながらリハビリを行う際に、特許文献１に記載の低周波治療器では、治療器本体が大型であるため、作業台に設置して使用することになるので、被術者の動作のタイミングを見計らいながら、複数の筋群に対し、適切な強度の電気刺激を印加することは困難である。
【０００７】
そこで本発明は、被施術者の治療を行いながら、簡単に被施術者に電気刺激を印加することができることで、効率的で、かつ効果的な治療を行うことができる電気刺激装置を提供することを目的とする。
【課題を解決するための手段】
【０００８】
本発明は、被術者に対して電気刺激を印加する電気刺激装置であって、前記被術者に装着される一対の電極が複数設けられた電極部と、前記電極部に刺激信号を生成して送出する装置本体と、前記装置本体にケーブルを介して接続され、前記電極部に刺激信号の送出を指示する操作部とを備えたことを特徴とする。
【０００９】
本発明によれば、電極部が、一対の電極を複数有しているため、リハビリの際に、被術者の体の複数箇所に装着することができるため、動作に応じた複数の筋群に電気刺激を印加することができる。そして、この電極部に刺激信号の送出を指示する操作部が、刺激信号を生成して送出する装置本体に、ケーブルを介して接続されて、装置本体から分離しているため、施術者が一方の手で被術者の手や腕、足、胴体などを動作させながら、他方の手で操作部を操作して、被施術者をリハビリさせることができる。従って、サイズが大きく、重量の重い装置本体を操作しながらリハビリを行う必要がないため、被施術者の治療を行いながら、簡単に被施術者に電気刺激を印加することができる。
【００１０】
前記操作部は、前記電極部のそれぞれの一対の電極に、刺激信号の送出を個々に指示するための個別用スイッチが、前記一対の電極のそれぞれに対応させて備えるのが望ましい。操作部が、電極部のそれぞれの一対の電極に、刺激信号の送出を個々に指示するための個別用スイッチを備えていると、施術者が被術者に動作させる際に、被術者の動作に合わせて適切なタイミングで電気刺激を、刺激させたい位置に装着させた電極に印加することができる。
【００１１】
前記全体用スイッチまたは前記個別用スイッチのいずれか一方のスイッチは、施術者が前記操作部を把持したときに、施術者の親指が押す位置に配置され、他方のスイッチは、施術者の人差し指から小指のうちのいずれかの指が押す位置に配置されているのが望ましい。
このように操作部に、全体用スイッチと個別用スイッチが配置されていることで、親指で全体用スイッチ、または個別用スイッチのいずれかを選択しながら押下することができる。また、人差し指から小指のうちのいずれかの指で全体スイッチを押下したり、人差し指から小指までの指を個別用スイッチにそれぞれ対応させて、選択的に押下したりすることができる。従って、操作部の操作性を向上させることができる。
【００１２】
前記操作部が、楕円球状に形成されていると、施術者が操作部を把持しやすいため、操作性を更に向上させることができる。
【００１３】
前記装置本体は、刺激信号を生成する発生回路と、前記発生回路が生成する刺激信号の強度を調整するための出力調整用スイッチとを備え、前記出力調整用スイッチは、前記一対の電極のそれぞれに対応させて形成されているのが望ましい。
発生回路が生成する刺激信号の強度を調整するための出力調整用スイッチが、一対の電極のそれぞれに対応させて形成されていると、電気刺激を印加する箇所に応じて刺激信号の強度を調整することができるため、施術者は効果的なリハビリを行うことができる。
【発明の効果】
【００１４】
本発明は、操作部が、装置本体から分離しているため、被施術者の治療を行いながら、簡単に被施術者に電気刺激を印加することができるので、効率的で、かつ効果的な治療を行うことができる。
【図面の簡単な説明】
【００１５】
【図１】本発明の実施の形態に係る電気刺激装置の全体構成を示す図である。
【図２】図１に示す電気刺激装置の装置本体を示す図である。
【図３】図２に示す装置本体の構成を示すブロック図である。
【図４】図２に示す装置本体が送出する刺激信号の波形を説明するための図である。
【図５】図１に示す電気刺激装置の使用状態を説明するための図であり、（Ａ）は被術者の腕を伸ばした状態の図、（Ｂ）は被術者の腕を折り曲げた状態の図である。
【発明を実施するための形態】
【００１６】
本発明の実施の形態に係る電気刺激装置について、図面に基づいて説明する。
図１に示す電気刺激装置１０は、被術者に電気刺激を印加しながらリハビリを行う際に使用されるものである。電気刺激装置１０では、同時に、２筋に電気刺激を印加するために２チャネルを有している。
電気刺激装置１０は、被術者に装着される一対の電極が複数設けられた電極部２０と、電極部２０に刺激信号を生成して送出する装置本体３０と、装置本体３０にケーブル１１を介して接続され、電極部２０に刺激信号の送出を指示する操作部４０とを備えている。
【００１７】
電極部２０は、２組の正極用および負極用の一対の電極２１（第１電極２１ａ，第２電極２１ｂ）と、２組の一対の電極２１のそれぞれを、装置本体３０に接続する２本の二又のケーブル２２とを備えている。一対の電極２１は、ケーブル２２との脱着が容易なスナップ式の電極パッドを使用している。
【００１８】
図２に示すように、装置本体３０は、直方体状の筐体３１に、刺激信号を生成する発生回路３２（図３参照）が内蔵されている。また、装置本体３０は、筐体３１に、発生回路３２を操作するための各種の設定用スイッチ３３と、表示部３４と、電源スイッチ３５を備えている。
各種の設定用スイッチ３３および表示部３４は、筐体３１の操作面３１１に設けられている。
【００１９】
設定用スイッチ３３としては、操作面３１１に「ロック」と表記された操作無効スイッチ３３ａと、「＋」および「−」と表記された出力調整用スイッチ（第１出力調整用スイッチ３３ｂ，第２出力調整用スイッチ３３ｃ）と、「周波数」と表記された周波数設定用スイッチ３３ｄと、「パルス幅」と表記されたパルス幅設定用スイッチ３３ｅと、「出力波形」と表記された出力波形設定用スイッチ３３ｆと、「設定時間」と表記された時間設定用スイッチ３３ｇと、「モード」と表記されたモード設定用スイッチ３３ｈとを備えている。
【００２０】
操作無効スイッチ３３ａは、装置本体３０の操作面３１１に配置されたプッシュスイッチ（第１出力調整用スイッチ３３ｂ，第２出力調整用スイッチ３３ｃ，周波数設定用スイッチ３３ｄ，後述する出力指示スイッチ（第１出力指示スイッチ３６ａ，第２出力指示スイッチ３６ｂ））の操作の無効を指示するものである。操作無効スイッチ３３ａは、有効と無効の２つのポジションを切り替えることができる２接点のスライドスイッチにより形成されている。
出力調整用スイッチ（第１出力調整用スイッチ３３ｂ，第２出力調整用スイッチ３３ｃ）は、刺激信号の強度を調整するためのもので、「＋」側を押下すると、刺激信号の出力電圧の増加を指示し、「−」側を押下すると出力電圧の減少を指示する２個のプッシュスイッチにより形成されている。第１出力調整用スイッチ３３ｂが第１電極２１ａに対応し、第２出力調整用スイッチ３３ｃが第２電極２１ｂに対応する。
【００２１】
周波数設定用スイッチ３３ｄは、刺激信号の周波数の設定を指示するもので、「＋」側を押下すると、周波数の増加を指示し、「−」側を押下すると周波数の減少を指示する２個のプッシュスイッチにより形成されている。
パルス幅設定用スイッチ３３ｅは、刺激信号のパルス幅の切り替えを指示するもので、２種類のパルス幅を２つのポジションにより切り替えることができる２接点のスライドスイッチにより形成されている。
出力波形設定用スイッチ３３ｆは、刺激信号の種類の選択を指示するもので、３種類の波形を、３つのポジションにより切り替えることができる３接点のスライドスイッチにより形成されている。
【００２２】
時間設定用スイッチ３３ｇは、刺激信号の出力時間と、非出力時間との組み合わせを３種類から選択するもので、３つのポジションにより切り替えることができる３接点のスライドスイッチにより形成されている。
モード設定用スイッチ３３ｈは、時間設定用スイッチ３３ｇによる刺激信号の出力時間を有効にするか（時間設定有効モード）、または操作部４０のスイッチまたは装置本体３０の出力指示スイッチが操作されたときだけ刺激信号を送出するか（時間設定無効モード）、を指示するものである。モード設定用スイッチ３３ｈは、２種類のモードを２つのポジションにより切り替えることができる２接点のスライドスイッチにより形成されている。
【００２３】
周波数設定用スイッチ３３ｄと、パルス幅設定用スイッチ３３ｅと、出力波形設定用スイッチ３３ｆと、時間設定用スイッチ３３ｇと、モード設定用スイッチ３３ｈとは、第１電極２１ａと第２電極２１ｂとに共通した設定したスイッチである。
【００２４】
表示部３４は、発生回路３２の設定の状態を表示するもので、２チャネル分の２桁の７セグメントＬＥＤにより構成されている。
電源スイッチ３５は、筐体３１の側面３１２に配置されている。
【００２５】
また、操作面３１１には、「ＯＮ／ＯＦＦ」と表記された出力指示スイッチ（第１出力指示スイッチ３６ａ，第２出力指示スイッチ３６ｂ）が配置されている。
出力指示スイッチ（第１出力指示スイッチ３６ａ，第２出力指示スイッチ３６ｂ）は、電極部２０のそれぞれの一対の電極２１（第１電極２１ａ，第２電極２１ｂ）に、刺激信号の送出を個別に指示するためのプッシュスイッチである。第１出力指示スイッチ３６ａが第１電極２１ａに対応し、第２出力指示スイッチ３６ｂが第２電極２１ｂに対応する。
【００２６】
更に、操作面３１１には、チャンネルごとに対応させて、第１出力表示ランプ３７ａと第２表示ランプ３７ｂが設けられている。
【００２７】
装置本体３０に内蔵された発生回路３２は、図３に示すように、制御部３２ａと、信号発生部３２ｂと、第１増幅部３２ｃと、第２増幅部３２ｄとを備えている。
制御部３２ａは、各種の設定用スイッチ３３の設定に基づいて、信号発生部３２ｂと、第１増幅部３２ｃと、第２増幅部３２ｄとを制御して、表示部３４に状態を表示制御するものである。
信号発生部３２ｂは、制御部３２ａからの制御に基づいて、刺激信号を生成して、第１増幅部３２ｃおよび第２増幅部３２ｄを介して、電極部２０へ送出する。
【００２８】
図１に示すように操作部４０には、細長の楕円球状に形成された筐体４１の長手方向側の側面に、一対の電極２１である第１電極２１ａおよび第２電極２１ｂに対応させて個別用スイッチ（第１個別用スイッチ４２，第２個別用スイッチ４３）が形成されている。
この個別用スイッチ（第１個別用スイッチ４２，第２個別用スイッチ４３）は、電極部２０のそれぞれの一対の電極２１（第１電極２１ａ，第２電極２１ｂ）に、刺激信号の送出を個別に指示するためのプッシュスイッチである。
第１個別用スイッチ４２が第１電極２１ａに対応し、第２個別用スイッチ４３が第２電極２１ｂに対応する。
個別用スイッチ（第１個別用スイッチ４２，第２個別用スイッチ４３）は、装置本体３０の出力指示スイッチ（第１出力指示スイッチ３６ａ，第２出力指示スイッチ３６ｂ）と同じ機能である。
【００２９】
また、操作部４０には、筐体４１の個別用スイッチが配置された側とは裏側となる側面に、電極部２０に一斉に刺激信号の送出を指示するための全体用スイッチ４４が形成されている。この全体用スイッチ４４は、プッシュスイッチにより形成されている。
【００３０】
以上のように構成された本発明の実施の形態に係る電気刺激装置１０の動作および使用状態を図面に基づいて説明する。
まず、装置本体３０に内蔵された発生回路３２の動作について説明する。
【００３１】
図３に示すように、制御部３２ａは、第１出力調整用スイッチ３３ｂまたは第２出力調整用スイッチ３３ｃの「＋」側のスイッチまたは「−」側のスイッチの押下に基づいて、刺激信号の出力電圧を設定する。制御部３２ａは、０Ｖから８０Ｖまでの出力電圧を、１００段階のレベルＶ（図４参照）として、第１電圧指示信号により第１増幅部３２ｃに、または第１電圧指示信号により第２増幅部３２ｄに、設定することができる。また、制御部３２ａは、この１００段階のレベルを、表示部３４に、「００」から「９９」の２桁の数字で表示する。
第１増幅部３２ｃおよび第２増幅部３２ｄは、第１出力調整用スイッチ３３ｂまたは第２出力調整用スイッチ３３ｃにより設定されたレベルＶに応じた出力電圧の刺激信号を電極部２０へ送出する。
【００３２】
制御部３２ａは、信号発生部３２ｂに、周波数設定用スイッチ３３ｄの「＋」側のスイッチまたは「−」側のスイッチの押下に基づいて、刺激信号の周波数を設定する。制御部３２ａは、１０Ｈｚから１００Ｈｚまでの周波数ｆを、周波数設定信号により信号発生部３２ｂに設定することができる。また、制御部３２ａは、この周波数ｆを、表示部３４に、例えば１００Ｈｚであれば２個の７セグメントＬＥＤを使用して「Ｆ１」、「００」の４桁の数字で表示する。
信号発生部３２ｂは、周波数設定用スイッチ３３ｄにより設定された周波数ｆに応じた刺激信号を生成して、電極部２０へ送出する。
【００３３】
制御部３２ａは、信号発生部３２ｂに、パルス幅設定用スイッチ３３ｅに基づいて、刺激信号のパルス幅を、パルス幅設定信号により指示する。パルス幅は、１００μｓまたは５０μｓのいずれかが指定できる。
信号発生部３２ｂは、パルス幅設定用スイッチ３３ｅにより設定されたパルス幅Ｐに応じた刺激信号を生成して、電極部２０へ送出する。
【００３４】
制御部３２ａは、信号発生部３２ｂに、出力波形設定用スイッチ３３ｆに基づいて、刺激信号の種類の選択を、波形設定信号により指示する。
刺激信号の種類は、波形Ａ〜Ｃの３種類がある。波形Ａでは、一対の電極２１の間で、双方向に刺激信号が流れるサイクルを３回繰り返す。波形Ｂでは、一対の電極２１の間で、双方向に刺激信号が流れるサイクルを１回行う。波形Ｃでは、一対の電極２１の片方向に刺激信号が流れるサイクルを１回行う。
信号発生部３２ｂは、出力波形設定用スイッチ３３ｆにより設定された出力波形（波形Ａ〜Ｃ）に応じた刺激信号を生成して、電極部２０へ送出する。
【００３５】
制御部３２ａは、モード設定用スイッチ３３ｈが時間設定有効モードであるときに、第１増幅部３２ｃおよび第２増幅部３２ｄに、時間設定用スイッチ３３ｇに基づいて、第１出力指示信号と第２出力指示信号により刺激信号の送出を指示する。
時間設定用スイッチ３３ｇでは３種類の時間設定が可能である。時間設定は、５秒間の出力時間と５秒間の非出力時間との繰り返し、３秒間の出力時間と３秒間の非出力時間との繰り返し、または１秒間の出力時間と３秒間の非出力時間との繰り返しから選択される。制御部３２ａは、時間を計測しながら、第１増幅部３２ｃまたは第２増幅部３２ｄに、出力時間になれば刺激信号の送出を指示し、非出力時間になれば送出の停止を指示する。
【００３６】
制御部３２ａが、モード設定用スイッチ３３ｈが時間設定無効モードであると判断したときには、制御部３２ａは、装置本体３０の出力指示スイッチ（第１出力指示スイッチ３６ａ，第２出力指示スイッチ３６ｂ）が押下されている間、個別用スイッチ（第１個別用スイッチ４２，第２個別用スイッチ４３）が押下されている間、または全体用スイッチ４４が押下されている間、押下されたスイッチに対応する第１増幅部３２ｃまたは第２増幅部３２ｄに、刺激信号の送出を指示する。
【００３７】
モード設定用スイッチ３３ｈは、被術者が自分で電気刺激を印加させたい場合に、「時間設定有効モード」に設定され、施術者が操作部４０を操作して被術者に電気刺激を印加させたい場合に、「時間設定無効モード」に設定される。
【００３８】
制御部３２ａは、刺激信号の送出を指示している間、送出を指示したチャンネルに応じて、第１出力表示ランプ３７ａまたは第２出力表示ランプ３７ｂのいずれか一方、または両方を点灯させる。
【００３９】
次に、電気刺激装置１０の使用状態を図面に基づいて説明する。なお、装置本体３０の設定用スイッチ３３は、モード設定用スイッチ３３ｈが時間設定無効モードであり、他の設定は施術者によりリハビリに最適な内容に設定されているものとする。施術者は、被術者の上腕の筋肉に、一対の電極２１（第１電極２１ａと第２電極２１ｂ）を装着している状態である。なお、図５（Ａ）および同図（Ｂ）においては、装置本体３０は図示していない。また、電極部２０の一対の電極２１のうち、上腕三頭筋に電気刺激を印加する一方の電極（第１電極２１ａ）のみを図示しており、上腕二頭筋に電気刺激を印加する他方の電極（第２電極２１ｂ）は、第１電極２１ａが装着された腕の裏側に位置するため図示していない。
【００４０】
図５（Ａ）に示すように、施術者は、左手Ｌで被術者の腕Ｙを伸ばした状態で持ち、右手Ｒで操作部４０を把持する。
そして、被術者は右手Ｒの親指Ｓで、操作部４０の個別用スイッチのうち、第２個別用スイッチ４３を押下する。第２個別用スイッチ４３が押下されたことで、装置本体３０から第２電極２１ｂへ刺激信号が送出され、被術者の腕Ｙに電気刺激が印加される。これにより、上腕二頭筋に筋収縮が起こるため、施術者はその動作を補助するように左手Ｌで被術者の腕Ｙを折り曲げていく。
【００４１】
次に、施術者は、左手Ｌで被術者の腕Ｙを折り曲げ、右手Ｒの親指Ｓを、操作部４０の個別用スイッチのうち、第１個別用スイッチ４２に切り替えて押下する。第１個別用スイッチ４２が押下されたことで、装置本体３０から第１電極２１ａへ刺激信号が送出され、被術者の腕Ｙに電気刺激が印加される。これにより、上腕三頭筋に筋収縮が起こるため、施術者はその動作を補助するように左手Ｌで被術者の腕Ｙを伸ばしていく。
【００４２】
上記例では、施術者は、親指で押下する位置を変えながら個別用スイッチ（第１個別用スイッチ４２，第２個別用スイッチ４３）を押下していたが、第１電極２１ａおよび第２電極２１ｂに同時に刺激信号を送出させたい場合には、施術者は、人差し指から小指までのいずれかの指で、全体用スイッチ４４を押下する。また、施術者が操作部４０を把持したときに、親指が押下する位置に全体用スイッチ４４が位置したときには、個別用スイッチ（第１個別用スイッチ４２，第２個別用スイッチ４３）は人差し指から小指までのいずれかの指で押下することができる。
【００４３】
このように操作部４０に、第１個別用スイッチ４２と第２個別用スイッチ４３と、全体用スイッチ４４とが配置されているため、操作部４０の操作性を向上させることができる。また、操作部４０が卵型のような楕円球状に形成されているため、施術者が把持しやすいため、更に操作性を向上させることができる。
【００４４】
このように、図１に示す電極部２０が、一対の電極２１を２組有しているため、リハビリの際に、被術者の体の２箇所に装着することができるため、動作に応じた２箇所の筋群に電気刺激を印加することができる。そして、この電極部２０に刺激信号の送出を指示する操作部４０が、刺激信号を生成して送出する装置本体３０に、ケーブル１１を介して接続されて、装置本体３０から分離しているため、施術者が一方の手で被術者の腕を動作させながら、他方の手で操作部４０を操作して、被施術者をリハビリさせることができる。
従って、サイズが大きく、重量の重い装置本体３０を操作しながらリハビリを行う必要がないため、被施術者の治療を行いながら、簡単に被施術者に電気刺激を印加することができる。
よって、電気刺激装置１０は、被施術者の治療を行いながら、簡単に被施術者に電気刺激を印加することができることで、効率的で、かつ効果的な治療を行うことができる。
【００４５】
また、操作部４０は、電極部２０のそれぞれの一対の電極２１に、刺激信号の送出を個々に指示するための個別用スイッチ（第１個別用スイッチ４２，第２個別用スイッチ４３）が、一対の電極２１の第１電極２１ａと第２電極２１ｂとに対応させて備えているため、施術者が被術者に動作させる際に、被術者の動作に合わせて適切なタイミングで電気刺激を、刺激させたい位置に装着させた第１電極２１ａまたは第２電極２１ｂに印加することができる。
【００４６】
図３に示す発生回路３２が生成する刺激信号の強度を調整するための出力調整用スイッチ（第１出力調整用スイッチ３３ｂ，第２出力調整用スイッチ３３ｃ）が、一対の電極２１のそれぞれに対応させて形成されているため、電気刺激を印加する箇所に応じて刺激信号の強度を調整することができるので、施術者は効果的なリハビリを行うことができる。
【００４７】
本実施の形態では、電気刺激装置１０が一対の電極２１を２組備えていることで、２筋群に電気刺激を印加できるが、３以上の一対の電極２１を備えるようにしてもよい。
また、本実施の形態に係る電気刺激装置１０では、刺激信号を第１電極２１ａと第２電極２１ｂとの２組により２筋群同時に電気刺激を与えていたが、本発明は、複数の一対の電極からの刺激信号の差分を干渉波として被術者に与えることで、干渉電流型低周波治療器として機能する電気刺激装置としてもよい。
【産業上の利用可能性】
【００４８】
本発明の電気刺激装置は、施術者が被術者に施術するリハビリなどの治療や、被術者自身が行うリハビリなどの治療の他、電気マッサージや筋肉トレーニングなどに用いることができる。
【符号の説明】
【００４９】
１０  電気刺激装置
１１  ケーブル
２０  電極部
２１  一対の電極
２１ａ  第１電極
２１ｂ  第２電極
２２  ケーブル
３０  装置本体
３１  筐体
３１１  操作面
３１２  側面
３２  発生回路
３２ａ  制御部
３２ｂ  信号発生部
３２ｃ  第１増幅部
３２ｄ  第２増幅部
３３  設定用スイッチ
３３ａ  操作無効スイッチ
３３ｂ  第１出力調整用スイッチ
３３ｃ  第２出力調整用スイッチ
３３ｄ  周波数設定用スイッチ
３３ｅ  パルス幅設定用スイッチ
３３ｆ  出力波形設定用スイッチ
３３ｇ  時間設定用スイッチ
３３ｈ  モード設定用スイッチ
３４  表示部
３５  電源スイッチ
３６ａ  第１出力指示スイッチ
３６ｂ  第２出力指示スイッチ
３７ａ  第１出力表示ランプ
３７ｂ  第２出力表示ランプ
４０  操作部
４１  筐体
４２  第１個別用スイッチ
４３  第２個別用スイッチ
４４  全体用スイッチ
Ｌ  左手
Ｒ  右手
Ｙ  腕
Ｓ  親指
【図１】
2015156887.tif 000003
【図２】
2015156887.tif 000004
【図３】
2015156887.tif 000005
【図４】
2015156887.tif 000006
【図５】
2015156887.tif 000007